(57)【特許請求の範囲】
【請求項１】
長尺な移動装飾体と、移動装飾体の収容室と、移動装飾体の駆動手段とを備える遊技機の移動装飾装置であって、
前記収容室と駆動手段とを遊技機前面の左右に配置したうえに、移動装飾体を左右の駆動手段に同時に係合する長さとして、二つの駆動手段により移動装飾体を遊技機の一方の側から他方の側に移動可能としたことを特徴とする遊技機の移動装飾装置。
【請求項２】
移動装飾体を、垂直な平坦面とこの上方の円弧部とを有する連結部材が多数接続されて、上方には屈曲するが下方には屈曲しないものとして、上方に屈曲して収容された移動装飾体を移動時には真っ直ぐに伸長させて、駆動手段により一方の収容室から他方の収容室まで開放空間を移動させるようにした請求項１に記載の遊技機の移動装飾装置。
【請求項３】
左右の収容室を移送通路で連通して、移動装飾体を駆動手段により一方の収容室から他方の収容室まで閉鎖空間内を移動させるようにした請求項１に記載の遊技機の移動装飾装置。
【請求項４】
収容室に、移動装飾体の収容通路を渦巻状に形成して、この収容通路に移動装飾体を捲回して収容するようにした請求項２又は３に記載の遊技機の移動装飾装置
【請求項５】
二つの収容室をつなぐ連絡通路を設けて、移動装飾体を連絡通路を通って一方の収容室から他方の収容室に循環移動させるようにした請求項２又は３に記載の遊技機の移動装飾装置。
【請求項６】
駆動手段を逆転させて、移動装飾体を遊技機の一方の側から他方の側に往復移動させるようにした請求項２〜５の何れかに記載の遊技機の移動装飾装置。
【発明の詳細な説明】
【技術分野】
【０００１】
本発明は、遊技機の前扉やセンター役物の装飾に用いられる移動装飾装置に関するものである。
【背景技術】
【０００２】
パチンコ機の遊技領域の中央には、液晶表示装置の周囲を覆うセンター役物が配設され、このセンター役物は、遊技の興趣を盛り上げるための移動装飾装置を備えている。従来の移動装飾装置として、特許文献１に開示されたものが知られている。特許文献１に記載されたものは、湾曲状態で収容室内に収容された長尺の移動装飾体が、大当たりなどの特別遊技状態になったときに伸長されながら出入り口から突出される構成になっている。
【０００３】
しかしながら、この移動装飾体は、その一端が収容室の内部の作動アームに固定されていて、移動装飾体が常に同じ出入り口から進出、後退するだけであるので、斬新さに欠け遊技の盛り上げ効果において十分満足できるものではなかった。    
【先行技術文献】
【特許文献】
【０００４】
【特許文献１】特開２００３−７９８２８号公報
【発明の概要】
【発明が解決しようとする課題】
【０００５】
本発明は、上記した従来の問題点に鑑み、従来にない特別な態様で演出して遊技の興趣を盛り上げることができる遊技機の移動装飾装置を提供することを課題とする。
【課題を解決するための手段】
【０００６】
上記の課題を解決するためになされた本発明に係る遊技機の移動装飾装置は、長尺な移動装飾体と、移動装飾体の収容室と、移動装飾体の駆動手段とを備える遊技機の移動装飾装置であって、
前記収容室と駆動手段とを遊技機前面の左右に配置したうえに、移動装飾体を左右の駆動手段に同時に係合する長さとして、二つの駆動手段により移動装飾体を遊技機の一方の側から他方の側に移動可能としたことを特徴とするものである。なお、本明細書において、「移動」とは、特に、一方の側の駆動手段と係合し他方の側の駆動手段と係合していない移動装飾体が移送されて、一方の側の駆動手段との係合が解除され他方の側の駆動手段と係合する状態に移行することをいう。
【０００７】
上記した発明において、移動装飾体を、垂直な平坦面とこの上方の円弧部とを有する連結部材が多数接続されて、上方には屈曲するが下方には屈曲しないものとして、上方に屈曲して収容された移動装飾体を移動時には真っ直ぐに伸長させて、駆動手段により一方の収容室から他方の収容室まで開放空間を移動させることができ、また、左右の収容室を移送通路で連通して、移動装飾体を駆動手段により一方の収容室から他方の収容室まで閉鎖空間内を移動させることができる。
【０００８】
また、収容室に、移動装飾体の収容通路を渦巻状に形成して、この収容通路に移動装飾体を捲回して収容することができるし、二つの収容室をつなぐ連絡通路を設けて、移動装飾体が連絡通路を通って一方の収容室から他方の収容室に循環移動させることができるし、駆動手段を逆転させて、移動装飾体を遊技機の一方の側から他方の側に往復移動させることができる。
【発明の効果】
【０００９】
本発明の移動装飾装置は、移動装飾体を左右の駆動手段に同時に係合する長さとしたので、一方の駆動手段が収容室から移動装飾体を引き出して他方の収容室に飛び込ませたうえ他方の駆動手段に係合させることができる。その後他方の駆動手段が移動装飾体を引き込むので、移動装飾体の移動を円滑に行って、遊技の態様に変化を付けて興趣を盛り上げることができる。
【００１０】
そして、移動装飾体を、垂直な平坦面とこの上方の円弧部とを有する連結部材が多数接続されて、上方には屈曲するが下方には屈曲しないものとした場合には、一方の駆動手段が屈曲して収容された移動装飾体を移動時には真っ直ぐに伸長させて引き出したうえ、他方の収容室に飛び込ませることができる。したがって、二つの収容室の間に移動装飾装置移送用の連絡通路を設ける必要がないので、従来にない装飾態様を付与することができる。
【００１１】
収容室に、移動装飾体を捲回して収容した場合には、収容室の長さを短いものとすることができる。二つの収容室を連絡通路でつないだ場合には、移動装飾体が一方の収容室から他方の収容室に循環して移動することができるし、駆動手段を逆転させた場合には、移動装飾体を二つの収容室間を往復移動させることができる。
【図面の簡単な説明】
【００１２】
【図１】移動装飾体が収容室に収容された移動装飾装置の正面図である。
【図２】移動装飾装置の背面の斜視図である。
【図３】収容室の拡大図である。
【図４】移動装飾体の斜視図である。
【図５】連結部材の（ａ）斜視図、（ｂ）正面図、（ｃ）平面図、（ｄ）側面図である。
【図６】一方の先頭部材の（ａ）斜視図、（ｂ）平面図、（ｃ）側面図である。
【図７】他方の先頭部材の（ａ）斜視図、（ｂ）平面図、（ｃ）側面図である。
【図８】移動装飾体が移動初期である移動装飾装置の正面図である。
【図９】移動装飾体が移動途中である移動装飾装置の正面図である。
【図１０】移動装飾体が移動後期である移動装飾装置の正面図である。
【図１１】移動装飾体が移動完了した移動装飾装置の正面図である。
【図１２】移動装飾体を一方向に巡回可能とした移動装飾装置の正面図である。
【図１３】移動装飾体を移動させるためのフローチャートである。
【図１４】収容室を移送通路で連通した移動装飾装置の正面図である。
【発明を実施するための形態】
【００１３】
以下に、本発明の実施形態に付いて説明する。
図１−３は、本発明の移動装飾装置を示す図であって、この移動装飾装置は遊技機の前扉やセンター役物に配設することができる。図において１は枠体であって、中央の窓１１に例えばセンター役物の表示画面が嵌め込まれる。枠体１の左右には、対向して移動装飾体の収容室２が配置されている。なお、正面図１において、右側の収容室を収容室２Ａ、左側の収容室を収容室２Ｂという。また、３は移動装飾体、４は移動装飾体３の駆動手段すなわちモータであって、正面図１において右側のモータをモータ４Ａ、左側のモータをモータ４Ｂという。
【００１４】
収容室２には、渦巻き状の収容通路２１と、出入り口２２とが設けられている。出入り口２２は収納通路２１よりも先が広く拡口されていて収納通路２１と滑らかに接続されている。又、収納通路２１には、段差がなく滑らかに形成されている。この収容通路２１に移動装飾体３が渦巻状に屈曲されて収容されている。なお、横向きから上方に折り曲げて収容することもできる。駆動手段４はスプロケット４１を備えており、このスプロケット４１の外周の凹部４２が移動装飾体３と係合して、移動装飾体３を移動させる。収容室２Ａの出入り口２２にはフォトセンサーなどのセンサー８ａ、収容室２Ｂの出入り口２２にはセンサー８ｂが配置されている。また、移動装飾体３の先端側にはスリットなどにより位置検出用の原点Ｘが設けられ、後端側には原点Ｙが設けられている。なお、上記したように、移動装飾体３は駆動手段４と係合・非係合となることが可能である。
【００１５】
移動装飾体３の構造を図４〜７により説明する。移動装飾体３は、チェーン構造のものであって、多数の連結部材５と両端の先頭部材６、７とからなる（図４）。連結部材５は、スプロケット４１が噛み込まれる係合部５１と、係合部５１から一方に延出する外側プレート５２と、その反対に延出する内側プレート５３とからなる（図５）。係合部５１は、上部が円柱面５１１に丸く形成されており、この円柱面５１１にスプロケット４１の凹部４２が噛み込まれる。また、円柱面５１１は両端に側面５４を有し、この側面５４の一側には垂直な平坦面５４１と、その上方の円弧部５４２とが形成されている。また、側面５４、５４の間には、垂直壁面（平坦面）５１２が形成されている。
【００１６】
内側プレート５３の外側には突起５３１が設けられているうえに、一側に垂直な平坦面５３２と、その上方の円弧部５３３とが形成されている。外側プレート５２には、前記突起５３１が嵌め込まれる孔部５２１が設けられ、また一側に垂直な平坦面５２２と、その上方の円弧部５２４とが形成されている。
【００１７】
図６に示す一方の先頭部材６は、外側プレート５２に代えて四角錐形状に形成した頭部６１を有する。他の構造は、連結部材５と同様である。また、図７に示す他方の先頭部材７は、内側プレート５３に代えて四角錐形状に形成した頭部７１を有する。他の構造は、連結部材５と同様である。頭部６１、７１は、収容室２の出入り口２２への飛び込みを容易とするために先細りに形成されている。
【００１８】
連結部材５は、内側プレート５３の突起５３１を外側プレート５２の孔部５２１に嵌め込むことにより、図４のように鎖状につなぐことができる。そして、収容室２Ａから移動装飾体３を引き出した図８に示す状態では、外側プレート５２の平坦面５２２が、隣の連結部材５の平坦面５４１に当接し、内側プレート５３の平坦面５３２が隣の連結部材５の垂直壁面５１２に当接されているので、移動装飾体３は下向きに曲がることはできず、ほぼ水平な直線状態が維持される。一方、外側プレート５２には円弧部５２４が、内側プレート５３には円弧部５３３が形成されているので、平坦面５４１が円弧部５２４を滑り、垂直壁面５１２が円弧部５３３を滑って、移動装飾体３は上方には曲がることができる。したがって、図３のように移動装飾体３を渦巻き状に捲回させたり、あるいは略直角に折り曲げたりすることができる。なお、移動装飾体３は内側プレート５３が外側プレート５２に挟み付けられているので、遊技機の前後方向には曲がることはできない。
【００１９】
以上に述べたように、長尺な移動装飾体３は、多関節からなるものであって、屈曲可能方向と屈曲不可能方向を有する。遊技機の左右に移動する場合には非屈曲方向が下側となって伸長された状態で移動する。また、長さは、一方の駆動手段４Ａと他方の駆動手段４Ｂに同時に係合可能な長さである。
【００２０】
移動装飾体３、収納室２の材質は樹脂であり、その中でも特に摺動性のよい材質のもの、例えば、ポリアセタール（ＰＯＭ）、ポリアミド（ＰＡ）、ナイロン（Ｎｙ）、ポリテトラフルオロエチレン（ＰＴＦＥ）等のフッ素樹脂等を用いることができる。なお、移動装飾体３と収納室２とは、摺動性の観点から別材質のものとするのが望ましい。
【００２１】
以上のように構成されたものにおいて、通常の遊技状態では移動装飾体３は、例えば図１に示すように、収容室２Ａに収容されている。そして、大当たりなどの特別遊技状態になったときには、移動装飾体３は遊技機の前面や役物の表示画面の前を移動する。
【００２２】
移動装飾装置の作動は、図示していないコンピュータによって、例えば図１３に示すようなフローに従って行われる。すなわち、図１に示す初期状態において、センサー８ａが原点Ｘを検知して移動装飾体３の位置が正常であることを確認する（Ｓ１）。モータ４Ａを駆動して移動装飾体３の移動を開始し（Ｓ２、図８）、所定のステップ回転させる（Ｓ３）。このときモータ４Ａは等加速度にて増速される。
【００２３】
モータ４Ａが所定のステップ回転して、移動装飾体３が所要の距離移動してセンサー８ｂが原点Ｘを検知したときは（Ｓ４）、図９に示すように、移動装飾体３が正常に収容室２Ｂに飛び込んでいるのであるから、モータ４Ａを停止し、モータ４Ｂを駆動する（Ｓ６）。そして、移動装飾体３は、図１０の状態を経て、図１１のごとく渦巻状に捲回されて収容室２Ｂに収容される。センサー８ｂが移動装飾体３の後端の原点Ｙを検知したときには（Ｓ７）、移動完了したのであるからモータ４Ｂを停止する（Ｓ８）。以上のような作動により収容室４Ａから収容室４Ｂへの移動操作は完了する。一旦移動完了した後、駆動手段４を逆転させれば、今度は、元の収容室２Ａに移動装飾体３を移動させることができる。よって、移動装飾体３を表示画面の前を往復移動させて、遊技の興趣を大幅に盛り上げることができる。
【００２４】
モータ４Ａを駆動させて所定時間経過してもセンサー８ｂが原点Ｘを検知しないときには、先頭部材６が出入り口２２から外れたりした異常が生じたのであるから、このような場合には、モータ４Ａを逆転させる（Ｓ５）。そして、センサー８ａが原点Ｘを検知することによりステップＳ１に戻る。これによってトラブルを解消することができるので、移動操作を初めからやり直すことができる。移動装飾体３の上方への反り返りを防ぐには、先頭部材６、７を重量なものとするか、錘を固定するのが有効である。
【００２５】
以上は、収容室２Ａ、２Ｂの出入り口２２、２２間が連通されていない開放空間である場合を示したが、図１４に示すように、出入り口２２、２２間を移送通路２５で連通して、移動装飾体３を閉鎖空間内を移動させることもできる。この場合には、移動装飾体３として、下方に屈曲しないもののみならず、下方に屈曲するものを用いることができる。
【００２６】
また、図１２に示すように、収容室２に、出入り口２２に連通して水平からコの字状に湾曲する収容通路２１を設け、枠体１の上部には左右の収容室２の収容通路２１をつなぐ連絡ガイド２３を設けることによって、移動装飾体３を、例えば時計回りの一方向に巡回させることができる。駆動手段４を逆転させることにより、その巡回方向を逆転させることができる。なお、移動装飾体３が常に最低一つの駆動手段４と係合しているように駆動手段４を配置する必要がある。
【符号の説明】
【００２７】
１  枠体、２、２Ａ、２Ｂ  収容室、３  移動装飾体、４、４Ａ、４Ｂ  駆動手段、
【図１】
0005463465.tif 000002
【図２】
0005463465.tif 000003
【図３】
0005463465.tif 000004
【図４】
0005463465.tif 000005
【図５】
0005463465.tif 000006
【図６】
0005463465.tif 000007
【図７】
0005463465.tif 000008
【図８】
0005463465.tif 000009
【図９】
0005463465.tif 000010
【図１０】
0005463465.tif 000011
【図１１】
0005463465.tif 000012
【図１２】
0005463465.tif 000013
【図１３】
0005463465.tif 000014
【図１４】
0005463465.tif 000015